(57)【特許請求の範囲】
【請求項１】
画像データに応じて変調された光ビームを像担持体の主走査方向に走査すると共に、前記主走査方向と直交する副走査方向に前記像担持体と前記光ビームとを相対的に移動させるよう駆動することで前記像担持体面に露光を行って画像形成する画像形成装置であって、
前記光ビームを発生する光源と、
回転する複数の反射面により前記像担持体において前記光ビームを主走査方向に走査する回転多面鏡と、
前記主走査方向の始端側または終端側のいずれか一端において前記光ビームを検出する光検出部と、
前記前記回転多面鏡各反射面について像担持体の主走査範囲を含む２点間での前記光ビームの検出間隔（主走査方向走査時間）と前記主走査範囲近傍の１点での前記光ビームの検出間隔（一端走査時間）とを予め関連付けて記憶しておく記憶部と、
前記回転多面鏡各反射面について前記光検出部での前記光ビームの検出間隔（一端走査時間）を計測する計測部と、
前記計測部で計測される前記一端走査時間と前記記憶部に記憶された前記一端走査時間との前記回転多面鏡各反射面についての相関に応じて、前記回転多面鏡各反射面について前記主走査方向走査時間の対応を特定する反射面特定部と、
前記反射面特定部により特定された各反射面の前記主走査方向走査時間を用いて、前記画像データの露光ドット位置間隔を前記回転多面鏡の各反射面毎に調整する補正部と、
を備えたことを特徴とする画像形成装置。
【請求項２】
前記記憶部は、前記主走査方向走査時間として、前記回転多面鏡各反射面毎に走査長が一定になるように主走査方向の倍率を補正するために予め生成された倍率補正データを記憶しており、
前記補正部は、前記倍率補正データを用いて前記画像データの露光ドット位置間隔を前記回転多面鏡の各反射面毎に調整して主走査方向の倍率を補正する、
ことを特徴とする請求項１記載の画像形成装置。
【請求項３】
前記記憶部は、前記倍率補正データとして、前記像担持体の主走査範囲内を複数区間に分けて予め計測された区間走査時間から求められた区間毎倍率補正データにより構成された倍率補正データを記憶しており、
前記補正部は、前記反射面特定部により特定された各反射面の前記倍率補正データを用いて前記画像データの露光ドット位置間隔を前記回転多面鏡の各反射面毎に主走査方向の複数区間に分けて調整して主走査方向の倍率を補正する
ことを特徴とする請求項２記載の画像形成装置。
【請求項４】
前記補正部は、前記露光ドット位置間隔の調整として、前記画像データにより前記光ビームを変調する際に使用する書き込みクロック周波数を調整する、
ことを特徴とする請求項１−３のいずれか一項に記載の画像形成装置。
【請求項５】
前記光源は前記副走査方向に整列された複数の光ビームを発生させる機能を有し、
前記複数の光ビームは、それぞれ副走査方向に隣接する画像データに応じて変調されたものである、
ことを特徴とする請求項１−４のいずれか１項に記載の画像形成装置。
【請求項６】
前記光検出部は、前記像担持体上の主走査位置の延長線上の始端側で検出を行う、
ことを特徴とする請求項１−５のいずれか１項に記載の画像形成装置。
【請求項７】
前記回転多面鏡の回転数を画像形成条件に応じて変更する制御部を備え、
前記制御部は、前記回転多面鏡の最も低い回転数に制御した状態で、反射面特定部による前記特定を行うように制御する、
ことを特徴とする請求項１−６のいずれか１項に記載の画像形成装置。
【請求項８】
画像データに応じて変調された光ビームを像担持体の主走査方向に走査すると共に、前記主走査方向と直交する副走査方向に前記像担持体と前記光ビームとを相対的に移動させるよう駆動することで前記像担持体面に露光を行って画像形成する画像形成装置の制御方法であって、
前記前記回転多面鏡各反射面について像担持体の主走査範囲を含む２点間での前記光ビームの検出間隔（主走査方向走査時間）と前記主走査範囲近傍の１点での前記光ビームの検出間隔（一端走査時間）とを予め関連付けて記憶部に記憶し、
回転する回転多面鏡の複数の反射面により前記像担持体において前記光ビームを主走査方向に走査し、
前記像担持体の主走査範囲を含むように、前記主走査方向の一端において前記光ビームを光検出部により検出し、
前記光検出部での前記光ビームの検出間隔（一端走査時間）を前記回転多面鏡各反射面についてを計測部により計測し、
前記計測部で計測される前記一端走査時間と前記記憶部に記憶された前記一端走査時間との前記回転多面鏡各反射面についての相関に応じて、前記回転多面鏡各反射面について前記主走査方向走査時間の対応を反射面特定部により特定し、
前記反射面特定部により特定された各反射面の前記主走査方向走査時間を用いて、前記画像データの露光ドット位置間隔を前記回転多面鏡の各反射面毎に調整して主走査方向の倍率を補正する、
ことを特徴とする画像形成装置制御方法。
【発明の詳細な説明】
【技術分野】
【０００１】
本発明は、複写機やプリンタなどの画像形成装置とその制御方法とに関し、特に、光源からのレーザビームを回転多面鏡で走査して感光体などの記録媒体に書き込む機能を有する画像形成装置の画像形成倍率補正に関する。
【背景技術】
【０００２】
画像形成装置として、画像データに応じた光ビームで主走査方向の１ラインの画像形成を行うと共に、主走査方向の１ライン毎の光ビームの画像形成を副走査方向に繰り返して１頁分の画像形成を行うものが知られている。
【０００３】
その一例として、電子写真方式の画像形成装置では、画像データに応じて変調したレーザビームを主走査方向に走査し、これと並行して、副走査方向に回転する像担持体（感光体ドラム）上に、前記レーザビームによって画像を形成している。この場合に、ドットクロックと呼ばれるクロック信号（書き込みクロック）を基準にして、レーザビームを画像データで変調するようにしている。
【０００４】
また、画像形成を高速に行うために、２または３以上の複数のレーザダイオード（ＬＤ）などの光源を備え、この複数の光源からのレーザビームを用いて、画像データに応じた主走査方向の複数ライン毎の画像形成を副走査方向に繰り返して１頁分の画像形成を行うものが知られている。このようなマルチビーム型の画像形成装置は、たとえば特開昭63-124664号公報などに開示されている。
【０００５】
なお、このような画像形成装置において、ポリゴンミラーの各反射面の微妙な誤差により、主走査方向ズレが発生することがある。
【０００６】
図１１は主走査方向ズレを模式的に示す説明図である。ここで、上述した高速化のために複数のレーザビームを用いて副走査方向に複数ラインの走査を同時に行う場合には、同じ反射面数のポリゴンミラーを使用した場合でも、ポリゴンミラー面数周期で発生する主走査方向ズレが、レーザビーム数に応じて副走査方向の空間周波数が低下し、視認されやすくなる状況になる。すなわち、レーザビームの本数（複数ライン数分）に応じて主走査方向ズレの副走査方向周期が伸びることになり、空間周波数が低下し、視認されやすい状況が発生する。
【０００７】
このようなマルチビーム型の画像形成装置で高画質を実現するためには、複数のレーザビームの主走査方向開始位置（始端）と主走査方向終了位置（終端）とを揃える、すなわち、各レーザビーム間で主走査方向ズレを解消することが重要となる。
【０００８】
このような主走査方向ズレを解消するものとして、たとえば、以下の特許文献１に各種の解決手法が記載されている。
【先行技術文献】
【特許文献】
【０００９】
【特許文献１】特開２００２−２６７９６１号公報
【発明の概要】
【発明が解決しようとする課題】
【００１０】
本件出願の発明者らが検討した結果、以上の特許文献に記載された手法で主走査方向ズレを解消しようと調整したとしても、以下に述べるような問題があることを見いだした。
【００１１】
第一に、主走査方向倍率補正データを得るためにレーザビームの始端側と終端側とに光検出部を設けて、主走査方向走査時間の変動を検出する必要がある。なお、始端側の光検出部は主走査露光開始位置を定めるために一般的に備えられているため、終端側に光検出部を追加する必要がある。すなわち、光検出部を２つにすることで、装置の部品点数が増加する問題が生じる。
【００１２】
第二に、主走査方向倍率補正データはポリゴンミラーの各反射面毎に異なるデータを有するため、主走査方向倍率補正データとポリゴンミラーの各反射面との対応を正確に取る必要がある。このため、毎秒数万回転で回転するポリゴンミラーの各反射面をリアルタイムに認識する高速対応のセンサ、ならびに処理回路を備える必要がある。
【００１３】
本発明は、上記の課題を解決するためになされたものであって、ポリゴンミラーの面検知センサと主走査方向に２つの光検出部を用いずに主走査方向倍率補正を行うことを目的とする。
【課題を解決するための手段】
【００１４】
すなわち、課題を解決する手段としての本発明は以下に説明するようなものである。
【００１５】
（１）この発明は、画像データに応じて変調された光ビームを像担持体の主走査方向に走査すると共に、前記主走査方向と直交する副走査方向に前記像担持体と前記光ビームとを相対的に移動させるよう駆動することで前記像担持体面に露光を行って画像形成する画像形成装置であって、前記光ビームを発生する光源と、回転する複数の反射面により前記像担持体において前記光ビームを主走査方向に走査する回転多面鏡と、前記主走査方向の始端側または終端側のいずれか一端において前記光ビームを検出する光検出部と、前記前記回転多面鏡各反射面について像担持体の主走査範囲を含む２点間での前記光ビームの検出間隔（主走査方向走査時間）と前記主走査範囲近傍の１点での前記光ビームの検出間隔（一端走査時間）とを予め関連付けて記憶しておく記憶部と、前記回転多面鏡各反射面について前記光検出部での前記光ビームの検出間隔（一端走査時間）を計測する計測部と、前記計測部で計測される前記一端走査時間と前記記憶部に記憶された前記一端走査時間との前記回転多面鏡各反射面についての相関に応じて、前記回転多面鏡各反射面について前記主走査方向走査時間の対応を特定する反射面特定部と、前記反射面特定部により特定された各反射面の前記主走査方向走査時間を用いて、前記画像データの露光ドット位置間隔を前記回転多面鏡の各反射面毎に調整する補正部と、を備えたことを特徴とする。
【００１６】
またこの発明は、画像データに応じて変調された光ビームを像担持体の主走査方向に走査すると共に、前記主走査方向と直交する副走査方向に前記像担持体と前記光ビームとを相対的に移動させるよう駆動することで前記像担持体面に露光を行って画像形成する画像形成装置の制御方法であって、前記前記回転多面鏡各反射面について像担持体の主走査範囲を含む２点間での前記光ビームの検出間隔（主走査方向走査時間）と前記主走査範囲近傍の１点での前記光ビームの検出間隔（一端走査時間）とを予め関連付けて記憶部に記憶し、回転する回転多面鏡の複数の反射面により前記像担持体において前記光ビームを主走査方向に走査し、前記像担持体の主走査範囲を含むように、前記主走査方向の一端において前記光ビームを光検出部により検出し、前記光検出部での前記光ビームの検出間隔（一端走査時間）を前記回転多面鏡各反射面についてを計測部により計測し、前記計測部で計測される前記一端走査時間と前記記憶部に記憶された前記一端走査時間との前記回転多面鏡各反射面についての相関に応じて、前記回転多面鏡各反射面について前記主走査方向走査時間の対応を反射面特定部により特定し、前記反射面特定部により特定された各反射面の前記主走査方向走査時間を用いて、前記画像データの露光ドット位置間隔を前記回転多面鏡の各反射面毎に調整して主走査方向の倍率を補正する、ことを特徴とする。
【００１７】
（２）また、この発明は、上記（１）において、前記記憶部は、前記主走査方向走査時間として、前記回転多面鏡各反射面毎に走査長が一定になるように主走査方向の倍率を補正するために予め生成された倍率補正データを記憶しており、前記補正部は、前記倍率補正データを用いて前記画像データの露光ドット位置間隔を前記回転多面鏡の各反射面毎に調整して主走査方向の倍率を補正する、ことを特徴とする。
【００１８】
（３）また、この発明は、上記（２）において、前記記憶部は、前記倍率補正データとして、前記像担持体の主走査範囲内を複数区間に分けて予め計測された区間走査時間から求められた区間毎倍率補正データにより構成された倍率補正データを記憶しており、前記補正部は、前記反射面特定部により特定された各反射面の前記倍率補正データを用いて前記画像データの露光ドット位置間隔を前記回転多面鏡の各反射面毎に主走査方向の複数区間に分けて調整して主走査方向の倍率を補正することを特徴とする。
【００１９】
（４）また、この発明は、上記（１）−（３）において、前記補正部は、前記露光ドット位置間隔の調整として、前記画像データにより前記光ビームを変調する際に使用する書き込みクロック周波数を調整する、ことを特徴とする。
【００２０】
（５）また、この発明は、上記（１）−（４）において、前記光源は前記副走査方向に整列された複数の光ビームを発生させる機能を有し、前記複数の光ビームは、それぞれ副走査方向に隣接する画像データに応じて変調されたものである、ことを特徴とする。
【００２１】
（６）また、この発明は、上記（１）−（５）において、前記光検出部は、前記像担持体上の主走査位置の延長線上の始端側で検出を行う、ことを特徴とする。
【００２２】
（７）また、この発明は、上記（１）−（６）において、前記回転多面鏡の回転数を画像形成条件に応じて変更する制御部を備え、前記制御部は、前記回転多面鏡の最も低い回転数に制御した状態で、反射面特定部による前記特定を行うように制御する、ことを特徴とする。
【発明の効果】
【００２３】
以上、説明したように、本発明によれば、以下のような効果が得られる。
【００２４】
この発明では、まず、回転多面鏡各反射面について、像担持体の主走査範囲を含む２点間での光ビームの検出間隔（主走査方向走査時間）と、主走査範囲近傍の１点での光ビームの検出間隔（一端走査時間）とを、工場での出荷時あるいは調整時に、予め関連付けて記憶部に記憶しておく。
【００２５】
そして、回転する回転多面鏡の複数の反射面により像担持体において光ビームを主走査方向に走査し、像担持体の主走査範囲を含むように、主走査方向の一端において光ビームを光検出部により検出し、光検出部での光ビームの検出間隔（一端走査時間）を計測部により計測し、計測部で計測される一端走査時間と記憶部に記憶された一端走査時間との相関に応じて、主走査方向走査時間について回転多面鏡各反射面の対応を反射面特定部により特定し、反射面特定部により特定された各反射面の主走査方向走査時間を用いて、画像データの露光ドット位置間隔を回転多面鏡の各反射面毎に調整して主走査方向の倍率を補正する。
【００２６】
なお、記憶部に記憶しておく主走査方向走査時間としては、主走査方向走査時間の各反射面での変動でもよいし、この変動に基づいて生成された倍率補正データでもよい。
【００２７】
これにより、回転多面鏡の面検知センサと主走査方向の２つの光検出部とを用いずに、回転多面鏡の各反射面と補正情報（各反射面での主走査方向走査時間変動に基づく倍率補正データ）との対応をとりつつ、主走査方向倍率補正を行うことが可能になる。
【００２８】
また、像担持体の主走査範囲内を複数区間に分けて予め計測された区間走査時間から求められた区間毎倍率補正データにより構成された倍率補正データを記憶しており、特定された各反射面の倍率補正データを用いて画像データの露光ドット位置間隔を回転多面鏡の各反射面毎に主走査方向の複数区間に分けて調整して主走査方向の倍率を補正する。これにより、主走査方向倍率補正を行う際に、始端と終端との一致だけでなく、主走査方向の各位置において画素位置を適切に保つことが可能になる。
【図面の簡単な説明】
【００２９】
【図１】本発明の第一実施形態の画像形成装置の構成（動作時）を示すブロック図である。
【図２】本発明の第一実施形態の画像形成装置の構成（測定時）を示すブロック図である。
【図３】本発明の第一実施形態の画像形成装置の動作を示すフローチャートである。
【図４】本発明の第一実施形態の画像形成装置の動作を示すタイムチャートである。
【図５】本発明の第一実施形態の画像形成装置の動作時の特性を示す説明図である。
【図６】本発明の第一実施形態の画像形成装置の動作を示すタイムチャートである。
【図７】画像形成装置の動作を説明する説明図である。
【図８】画像形成装置の動作を説明する説明図である。
【図９】本発明の第二実施形態の画像形成装置の構成（測定時）を示すブロック図である。
【図１０】本発明の第二実施形態の画像形成装置の動作を示すフローチャートである。
【図１１】画像形成装置の動作を説明する説明図である。
【発明を実施するための形態】
【００３０】
以下、図面を参照して本発明を実施するための形態（実施形態）を詳細に説明する。本実施形態が適用される画像形成装置は、画像データに応じて変調された光ビームを像担持体の主走査方向に走査すると共に、主走査方向と直交する副走査方向に像担持体と光ビームとを相対的に移動させるよう駆動することで像担持体面に露光を行って画像形成する画像形成装置である。なお、この画像形成装置の事前動作と通常動作とが、画像形成装置制御方法である。
【００３１】
〔第一実施形態の構成（１）〕
以下、第一実施形態の画像形成装置１００の第１の実施形態の電気的な構成を、図１に基づいて詳細に説明する。なお、この実施形態では、レーザビームによる露光の主走査方向ズレを補正するのに必要な構成要件を中心に説明する。したがって、画像形成装置として一般的であり、周知となっている構成要件については省略している。
【００３２】
制御部１０１は、画像形成装置１００の各部を制御するためにＣＰＵや制御プログラムなどで構成されており、通常の画像形成動作に加え、以下の制御を行うことを特徴としている。
【００３３】
すなわち、制御部１０１は、後述する光検出部１４０Ｓ１での計測される一端走査時間（あるいは一端走査時間変動）と記憶部１６０に記憶された一端走査時間（あるいは一端走査時間変動）との相関に応じて、記憶部１６０に記憶された主走査方向走査時間（主走査方向走査時間変動あるいは倍率補正データ）について、ポリゴンミラー１２０各反射面の対応を反射面特定部１７０により特定し、反射面特定部１７０により特定された各反射面の主走査方向走査時間（主走査方向走査時間変動あるいは倍率補正データ）を用いて、画像データの露光ドット位置間隔をポリゴンミラー１２０の各反射面毎に調整して主走査方向の倍率を補正する、際の制御を行う。
【００３４】
操作部１０５は、操作者による画像形成についての各種指示が入力される操作入力手段であり、指示入力の内容は操作部１０５から制御部１０１に伝達される。なお、操作部１０５から画像形成に用いる紙種として通常の記録紙よりも厚みのある厚紙が指定された場合には、制御部１０１は画像形成速度を通常速度よりも低速側の画像形成速度に切り替える制御を行う。
【００３５】
レーザダイオード（ＬＤ）１１０は、感光体上を走査しつつ露光を行うレーザビーム（光ビーム）を生成する光源である。なお、このレーザダイオード１１０からのレーザビームは単数ビームであってもよいし、複数ビームであってもよい。
【００３６】
ＬＤ駆動回路１１０Ｄは、レーザダイオード１１０を発光駆動するための発光駆動信号を生成してレーザダイオード１１０に供給する駆動源であり、画像データに応じて変調された発光駆動信号をレーザダイオード１１０に供給する。なお、副走査方向に隣接する画像データに応じて変調された副走査方向に整列された複数のレーザビームをレーザダイオード１１０で生成する場合には、対応した発光駆動信号を生成してレーザダイオード１１０に供給する。
【００３７】
ポリゴンミラー１２０は回転する複数の反射面により感光体面上にレーザビームを主走査方向に走査する回転多面鏡である。ポリゴンモータ１２０Ｍはポリゴン駆動信号を受けてポリゴンミラー１２０を所定回転数で回転させる回転駆動手段である。
【００３８】
ポリゴンモータ駆動回路１２０Ｄはポリゴンミラー１２０を所定回転数で回転駆動するためのポリゴン駆動信号を生成してポリゴンモータ１２０Ｍに供給する駆動信号生成部である。なお、このポリゴンモータ駆動回路１２０Ｄは、制御部１０１で決定された画像形成速度に応じたポリゴンモータ回転数となるようにポリゴン駆動信号を生成する。
【００３９】
光学系１３０は、レーザダイオード１１０から照射されてポリゴンミラー１２０で反射されたレーザビームに関して、感光体面上で所定の主走査速度となるように光学的な処理を行うためのシリンドリカルレンズやコリメータレンズやｆ−θレンズなどの各種光学部材である。
【００４０】
感光体１４０は、ポリゴンミラー１２０の回転により主走査方向に走査されるレーザビームの露光と、該主走査方向と直交する方向の副走査方向の回転動作とにより画像データに応じた静電潜像が表面に形成され、この静電潜像が現像されてトナー像が形成される像担持体としての感光体である。なお、この静電潜像形成のための帯電、静電潜像形成の現像によるトナー像形成、トナー像の記録紙への転写、記録紙上のトナー像の定着、などは画像形成装置として一般的なものであるため、説明を省略している。
【００４１】
感光体駆動部１４０Ｍは、感光体１４０を所定回転数で副走査方向に回転させる感光体回転駆動手段である。なお、この感光体駆動部１４０Ｍは、制御部１０１で決定された画像形成速度に応じた感光体回転数となるように感光体１４０を駆動する。
【００４２】
光検出部１４０Ｓ１は、感光体１４０上の主走査位置の延長線上の主走査始端側において、光ビームを検出するセンサであり、検出結果は後述する計測部１５０に伝達される。なお、光検出部１４０Ｓ１としては、主走査方向の始端側または終端側のいずれか一端において光ビームを検出すれば足りるが、感光体１４０上で露光の開始位置を揃える意味で、始端側に配置されることが望ましい。
【００４３】
なお、始端側に配置される光検出部１４０Ｓ１は、ＳＯＳ（Start Of Scan）センサと呼ばれるものであり、図中にＳＯＳと記載する。
【００４４】
また、画像形成装置１００においては主走査終端側に光検出部は設けられていないが、後述するように、測定治具において、主走査始端側の光検出部２４０Ｓ１と、主走査終端側の光検出部２４０Ｓ２とが設けられている。
【００４５】
計測部１５０は、主走査範囲近傍の１点として始端側の光検出部１４０Ｓ１で、ポリゴンミラー１２０の回転により走査される光ビームの検出間隔（一端走査時間）、あるいは、一端走査時間についてポリゴンミラー１２０各反射面でのばらつき（一端走査時間変動）を計測する計測手段である。
【００４６】
記憶部１６０は、ポリゴンミラー１２０の反射面毎に走査長が一定になるように主走査方向の倍率を補正する際の倍率補正データを、後述する倍率補正データ生成部２６０にて予め工場出荷時に生成して、記憶しておく記憶手段である。
【００４７】
反射面特定部１７０は、画像形成装置使用時に計測部１５０で計測されたポリゴンミラー１２０の一端走査時間（あるいは一端走査時間変動）と、予め工場出荷時に計測されたポリゴンミラー１２０の一端走査時間（あるいは一端走査時間変動）との相関に応じて、予め工場出荷時に計測されたポリゴンミラー１２０の主走査方向走査時間に対応した倍率補正データとポリゴンミラー１２０の各反射面の対応を特定する特定手段である。なお、この反射面特定部１７０により、ポリゴンミラー１２０に面検知センサが不要となる。
【００４８】
書き込みクロック生成部１８０は、レーザダイオード１１０を発光駆動するための発光駆動信号をＬＤ駆動回路１１０Ｄで生成する際に必要となる書き込み画素クロック（以下、書き込みクロックと言う）を生成する。
【００４９】
なお、この書き込みクロック生成部１８０は、書き込みクロックを生成する際に、倍率補正データを用いて、画像データの露光ドット位置間隔を調整して主走査方向の倍率を補正するように書き込みクロックの周波数を調整する補正部を構成している。なお、この補正部としての書き込みクロック生成部１８０は、ＰＬＬや周波数変調など各種の方式により、画像データの露光ドット位置間隔を調整して主走査方向の倍率を補正することが可能である。
【００５０】
なお、書き込みクロック生成部１８０は、反射面特定部１７０により特定された各反射面の倍率補正データを用いて画像データの露光ドット位置間隔をポリゴンミラー１２０の各反射面毎に調整して、主走査方向の倍率を補正する。
【００５１】
画像処理部１９０は、画像データに画像形成に必要な各種の画像処理を施す画像処理手段であり、書き込みクロックに同期して必要なデータがＬＤ駆動回路１１０Ｄに出力される。なお、副走査方向に隣接する画像データに応じて変調された副走査方向に整列された複数のレーザビームをレーザダイオード１１０で生成する場合には、対応した画像データがＬＤ駆動回路１１０Ｄに出力される。
【００５２】
〔第一実施形態の構成（２）〕
図２は、ポリゴンミラー１２０の反射面毎に走査長が一定になるように主走査方向の倍率を補正する際の倍率補正データを、予め工場出荷時に生成する際の構成を示すブロック図である。
【００５３】
ここでは、図１と同一物には同一番号を付すことで重複した説明を省略する。また、図１で１Ｘ０であった部分には、図２では２Ｘ０の番号を付すことで、関連があることを示している。
【００５４】
ポリゴンミラー１２０の反射面毎に主走査長が一定になるように主走査方向の倍率を補正する際に用いる倍率補正データを得るため、ポリゴンミラー１２０を中心とする露光ユニットＡを測定治具に装着した状態を示している。
【００５５】
なお、測定治具としては、画像形成装置１００の主走査位置の延長線上の主走査始端側の光検出部１４０Ｓ１に相当する位置に配置された光検出部２４０Ｓ１、画像形成装置１００の主走査位置の延長線上の主走査終端側に相当する位置に配置された光検出部２４０Ｓ２、光検出部２４０Ｓ１，２４０Ｓ２の検出結果から所定距離の走査時間（主走査方向走査時間）あるいは主走査方向走査時間のポリゴンミラー１２０各反射面の時間差（主走査方向走査時間変動）を計測する計測部２５０、計測部２５０で計測された主走査方向走査時間あるいは主走査方向走査時間変動を基にしてポリゴンミラー１２０の反射面毎に主走査長が一定になるように主走査方向の倍率を補正する際の倍率補正データを生成する倍率補正データ生成部２６０、を備えて構成されている。なお、操作部、表示部、測定制御部、インタフェースなど、図示されない各種の手段が備えられていてもよい。
【００５６】
なお、始端側に配置される光検出部２４０Ｓ１はＳＯＳ（Start Of Scan）センサと呼ばれるものであり図中にＳＯＳと記載し、終端側に配置される光検出部２４０Ｓ２はＥＯＳ（End Of Scan）センサと呼ばれるものであり図中にＥＯＳと記載する。
【００５７】
また、計測部２５０は、始端側の光検出部２４０Ｓ１で、ポリゴンミラー１２０の回転により走査される光ビームの検出間隔（一端走査時間）、あるいは、この一端走査時間についてポリゴンミラー１２０各反射面でのばらつき（一端走査時間変動）を計測する。
【００５８】
また、倍率補正データ生成部２６０で生成される倍率補正データは、ポリゴンミラー１２０の反射面毎に走査長が一定になるように主走査方向の倍率を補正する際の倍率補正データである。
【００５９】
そして、生成された倍率補正データあるいは主走査方向走査時間変動は、一端走査時間あるいは一端走査時間変動と関連付けた状態で記憶部１６０に記憶され、画像形成時に使用される。
【００６０】
〔第一実施形態の事前動作〕
以下、倍率補正データの取得動作（事前動作）について、図３のフローチャートを参照して説明を行う。
【００６１】
まず、この事前動作として、ポリゴンミラー１２０の反射面毎に主走査長が一定になるように主走査方向の倍率を補正する際に用いる倍率補正データを取得するため、ポリゴンミラー１２０を中心とする露光ユニットＡを測定治具に装着した状態（図２参照）の動作について説明する。
【００６２】
なお、この露光ユニットＡを測定治具に装着して倍率補正データ取得動作は、製造工場や調整施設などで調整を行う時（以下、工場出荷時と呼ぶ）に実行される。すなわち、画像形成装置１００の通常使用の以前に、予め、倍率補正データ取得動作が実行される。
【００６３】
まず、露光ユニットＡから見て、画像形成装置１００の光検出部１４０Ｓ１があるべき位置に測定治具の光検出部２４０Ｓ１が来るように、かつ、画像形成装置１００の主走査位置の延長線上の主走査終端側に相当する位置に光検出部２４０Ｓ２が来るように、露光ユニットＡを測定治具に装着する（図３中のステップＳ１０１）。なお、予め、露光ユニットＡを測定治具に装着した場合に、各光検出部が所定の位置に来るように、予め測定治具側でも位置合わせなどが完了していることが望ましい。さらに、倍率補正データ生成部２６０で生成される倍率補正データが記憶部１６０に記憶されるよう、倍率補正データ生成部２６０と記憶部１６０とを接続する。なお、図示されないインタフェースやコネクタ等を用いてもよい。
【００６４】
そして、このように露光ユニットＡを測定治具に装着した状態で、制御部１０１はポリゴンミラー１２０を所定の回転数で回転させるように制御する。この際に、測定治具側から何らかの指示があってもよいし、また、測定治具と露光ユニットＡが接続されることにより、制御部１０１は自動的にポリゴンミラー１２０の回転を開始させてもよい。
【００６５】
この状態で計測部２５０は、主走査方向走査時間（始端側にある光検出部２４０Ｓ１と終端側にある光検出部２４０Ｓ２とで光ビームを検出する時間差）と、一端走査時間（始端側にある光検出部２４０Ｓ１で光ビームを検出する時間差）とを計測する（図３中のステップＳ１０２）。
【００６６】
図４（ａ）はポリゴンミラー１２０回転時における光検出部２４０Ｓ１の検出結果を示し、図４（ｂ）はポリゴンミラー１２０回転時における光検出部２４０Ｓ２の検出結果を示し、図４（ｃ）はポリゴンミラー１２０回転時の反射面を示す。
【００６７】
なお、第一実施形態では面検知センサを用いていないため、ポリゴンミラー１２０の反射面の絶対的な面番号を管理できないため、事前動作における反射面番号を＃ａ，＃ｂ，…と表し、通常動作における反射面番号を＃Ａ，＃Ｂ，…と表す。
【００６８】
ここで、光検出部２４０Ｓ１の検出結果（図４（ａ））から光検出部２４０Ｓ２の検出結果（図４（ｂ））までの時間を、主走査方向走査時間Ｔse(xy)とする。なお、xはポリゴンミラー１２０の反射面＃ａ〜＃ｆ、yは測定開始からの回転数を表す。なお、誤差を軽減するため所定の複数回転分のデータ、たとえば、５００回転分のデータを取得してから各反射面毎に平均する。
【００６９】
なお、この主走査方向走査時間についてポリゴンミラー１２０各反射面でのばらつき（主走査方向走査時間変動）については、全ての反射面の主走査方向走査時間の平均値を基準（ずれ０％）として、各反射面の主走査方向走査時間の平均値からのずれを求める（図５（ａ）参照）。
【００７０】
また、ポリゴンミラー１２０の回転数が複数選択しうる場合には、制御部１０１は、ポリゴンミラー１２０を最も低い回転数に制御した状態で、以上の測定を行うように制御する。これは、ポリゴンミラー１２０の回転数が低いほうが、ポリゴンミラー１２０各反射面での主走査方向ズレが最も顕著に表れる性質を有するからである。
【００７１】
また、ここで、光検出部２４０Ｓ１の検出結果（図４（ａ））から光検出部２４０Ｓ１の次の検出結果（図４（ａ））までの時間を、一端走査時間Ｔss(xy)とする。なお、xはポリゴンミラー１２０の反射面＃ａ〜＃ｆ、yは測定開始からの回転数を表す。なお、この場合も、誤差を軽減するため所定の複数回転分のデータ、たとえば、５００回転分のデータを取得してから各反射面毎に平均する。
【００７２】
なお、この一端走査時間についてポリゴンミラー１２０各反射面でのばらつき（一端走査時間変動）については、全ての反射面の一端走査時間の平均値を基準（ずれ０％）として、各反射面の一端走査時間の平均値からのずれを求める（図５（ｂ）参照）。
【００７３】
そして、計測部２５０は、ポリゴンミラー１２０各反射面の主走査方向走査時間あるいは主走査方向走査時間変動と、一端走査時間あるいは一端走査時間変動とを、倍率補正データ生成部２６０に通知する。
【００７４】
倍率補正データ生成部２６０は、主走査方向走査時間あるいは主走査方向走査時間変動から、ポリゴンミラー１２０各反射面で走査長が一定になるように主走査方向の倍率を補正する際の倍率補正データを生成する（図３中のステップＳ１０３）。
【００７５】
そして、倍率補正データ生成部２６０は、以上のポリゴンミラー１２０各反射面の倍率補正データを、ポリゴンミラー１２０各反射面の一端走査時間または一端走査時間変動と関連付け、記憶部１６０に記憶させる（図３中のステップＳ１０４）。
【００７６】
たとえば、図５（ａ）（ｂ）に示すように、倍率補正データあるいは主走査方向走査時間変動として＃ａ〜＃ｆ反射面については記憶部１６０の０１ｈ〜０６ｈに記憶させ、一端走査時間または一端走査時間変動として＃ａ〜＃ｆ反射面については記憶部１６０の１１ｈ〜１６ｈに記憶させる。
【００７７】
ここで、記憶部１６０に倍率補正データと一端走査時間、または、倍率補正データと一端走査時間変動が記憶された時点で、制御部１０１はポリゴンミラー１２０の回転を停止させ、倍率補正データ取得動作を完了する。
【００７８】
この後、露光ユニットＡを測定治具から取り外し、画像形成装置１００の所定位置に設置する（図３中のステップＳ１０５）。
【００７９】
〔第一実施形態の通常動作〕
以下、第一実施形態の画像形成装置１００の通常動作について、図３のフローチャートを参照して説明を行う。
【００８０】
この通常動作とは、上述した事前動作（図３中のステップＳ１０１〜Ｓ１０５）によって倍率補正データ取得動作が予め行われることで、倍率補正データが記憶部１６０に記憶された画像形成装置１００を画像形成に使用することを意味している。
【００８１】
画像形成装置１００の電源がオンされると、もしくは、スリープモードなどの待機状態が解除されると、制御部１０１は、以下の制御を行う。まず、制御部１０１は画像形成装置１００の各部を初期化すると共に、ポリゴンモータ駆動回路１２０Ｄを介してポリゴンモータ１２０Ｍを所定回転数で回転させるように起動する（図３中のステップＳ２０１）。なお、画像形成装置１００の各部としては、現像装置の現像剤のトナー濃度制御や、定着装置の定着温度制御などがあるが、少なくともポリゴンモータ１２０Ｍにより回転駆動されるポリゴンミラー１２０が所定回転数に達した時点で以下の処理に移行する。
【００８２】
ここで、制御部１０１は、ＬＤ駆動回路１１０Ｄに指示を与えてＬＤ１１０を発光させ、ポリゴンミラー１２０によって光ビームを走査させる。また、制御部１０１は以下の動作を行うように各部を制御する。
【００８３】
計測部１５０は、主走査範囲近傍の１点として始端側の光検出部１４０Ｓ１で、ポリゴンミラー１２０の回転により走査される光ビームの検出間隔（一端走査時間）を計測する（図３中のステップＳ２０２）。
【００８４】
図４（ｄ）はポリゴンミラー１２０の回転が安定して測定可能状態になったときにＨレベルになる測定フラグであり、図４（ｅ）はポリゴンミラー１２０回転時における光検出部１４０Ｓ１の検出結果を示し、図４（ｆ）はポリゴンミラー１２０回転時の反射面を示す。なお、第一実施形態では面検知センサを用いていないため、ポリゴンミラー１２０の反射面の絶対的な面番号を管理できないため、ここでは反射面番号を＃Ａ，＃Ｂ，…と表している。
【００８５】
ここで、光検出部１４０Ｓ１の検出結果（図４（ｅ））から光検出部１４０Ｓ１の次の検出結果（図４（ｅ））までの時間を、一端走査時間Ｔss(XY)とする。なお、Xはポリゴンミラー１２０の反射面＃Ａ〜＃Ｆ、Yは測定開始からの回転数を表す。なお、この場合、誤差を軽減するため所定の複数回転分のデータ、たとえば、５００回転分のデータを取得してから各反射面毎に平均する。
【００８６】
なお、この一端走査時間についてポリゴンミラー１２０各反射面でのばらつき（一端走査時間変動）については、全ての反射面の一端走査時間の平均値を基準（ずれ０％）として、各反射面の一端走査時間の平均値からのずれを求める（図５（ｃ）参照）。
【００８７】
以上のように計測した上で、計測部１５０は、この計測結果を反射面特定部に通知する。
【００８８】
そして、反射面特定部１７０は、予め工場出荷時に計測された一端走査時間変動の反射面毎の違い（図５（ｂ））を記憶部１６０から読み出し、計測部１５０で計測して得た一端走査時間変動の反射面毎の違い（図５（ｃ））と、比較する。
【００８９】
なお、第一実施形態では、ポリゴンミラー１２０各反射面を識別する面検知センサなどを備えていないため、各反射面についての絶対的な面番号は存在しない。すなわち、図５（ｂ）における横軸方向の＃ａ〜＃ｆは事前動作時における便宜的な面番号であり、図５（ｃ）における横軸方向の＃Ａ〜＃Ｆは画像形成時における便宜的な面番号である。
【００９０】
そのため、一端走査時間変動の各反射面の違いのパターン（各反射面の相対差）から図５（ｂ）における事前動作時における面番号の＃ａ〜＃ｆと、図５（ｃ）における画像形成時における面番号の＃Ａ〜＃Ｆとの一致を、パターンマッチングなどを用いて求める。
【００９１】
この例では、図６（ａ）（ｂ）に示すように、事前動作時の反射面＃ａ，＃ｂ，＃ｃ，＃ｄ，＃ｅ，＃ｆと通常動作時の反射面＃Ｃ，＃Ｄ，＃Ｅ，＃Ｆ，＃Ａ，＃Ｂとが一致することが、反射面特定部１７０により求められる（図３中のステップＳ２０３）。
【００９２】
なお、工場出荷時の計測におけるポリゴンミラー１２０の回転数と画像形成装置使用時のポリゴンミラー１２０の回転数とが異なっていたとしても、以上の各反射面の主走査方向ズレのパターンは大まかな形状が類似するため、パターンマッチングなどにより反射面を特定することが可能である。
【００９３】
また、画像形成装置１００として、ポリゴンミラー１２０の回転数が複数選択しうる場合には、制御部１０１は、ポリゴンミラー１２０を最も低い回転数に制御した状態で、反射面特定部１７０による特定を行うように制御する。これは、ポリゴンミラー１２０の回転数が低いほうが、画像形成装置使用時の主走査方向ズレ量が最も顕著に表れる性質を有するからである。
【００９４】
制御部１０１は、このようにして特定された反射面に応じて、予め計測された各反射面の倍率補正データを記憶部の所定アドレスから読み出し（図６（ｃ）参照）、画像形成時に使用中のポリゴンミラー１２０の各反射面に適用し、補正部により画像データの露光ドット位置間隔をポリゴンミラー１２０の各反射面毎に調整して主走査方向の倍率を補正するよう制御する（図３中のステップＳ２０４）。
【００９５】
そして、制御部１０１は、予め計測された各反射面の倍率補正データを記憶部１６０から読み出して、その倍率補正データを適用してクロック周波数を調整した状態の書き込みクロックを書き込みクロック生成部１８０で生成し、その書き込みクロックをＬＤ駆動回路１１０Ｄと画像処理部１９０とに適用することで、主走査方向ズレを始端〜終端で解消するように画像データの露光ドット位置間隔が調整された状態の画像形成を実行する（図３中のステップＳ２０５）。
【００９６】
以上のように、この実施形態では、主走査方向の倍率を補正する際の倍率補正データを一端走査時間に関連付けて予め生成して記憶部１６０に記憶しておき、画像形成時に計測部で計測される一端走査時間と記憶部に記憶された一端走査時間との相関に応じて、予め記憶されている主走査方向走査時間について回転多面鏡各反射面の対応を反射面特定部により特定し、特定された各反射面の主走査方向走査時間を用いて主走査方向の倍率を補正することにより、ポリゴンミラー１２０の面検知センサと主走査方向の２つの光検出部とを用いずに、ポリゴンミラー１２０の各反射面と補正情報（各反射面での主走査方向走査時間変動に基づく倍率補正データ）との対応をとりつつ、主走査方向倍率補正を行うことが可能になる。
【００９７】
〔第二実施形態〕
図７（ａ）は６面のポリゴンミラー１２０の各反射面で１本のレーザビームを走査した場合の主走査方向ズレを示している。また、図７（ｂ）は同じく６面のポリゴンミラー１２０の各反射面の主走査方向ズレを縦軸方向に変換し、主走査方向の各位置に応じてズレ状態がどのように変化するかのプロファイルを模式的に示す説明図である。この図７（ｂ）のズレ状態の傾きの特性は、各反射面の平面度の違いを表している。
【００９８】
たとえば、図７（ｂ）の第１面（＃１）と第３面（＃３）とは、主走査方向ズレは略等しいが、主走査方向途中でのプロファイルが異なっている。このため、＃１と＃３とを均等に縮小した場合には、主走査方向始端と終端の画素位置は揃うものの、主走査方向の中間付近で画素位置が揃わなくなる現象が発生する。
【００９９】
このため、主走査方向倍率補正により始端と終端とを揃えたとしても、主走査方向の中間部分で画素位置が副走査方向に見て揃わないことになる。この結果、画像の種類によっては、図８に示すように、主走査方向の中間部分周辺にモアレのように見える部分が発生したり、縦線が歪んだりする現象が現れることがある。
【０１００】
〔第二実施形態の構成〕
図９は、第二実施形態における倍率補正データの取得動作（事前動作）を行う際の構成を示すブロック図である。ここでは、第一実施形態の図２と同一物には同一番号を付すことで重複した説明を省略する。
【０１０１】
ポリゴンミラー１２０の反射面毎に主走査長が一定になるように主走査方向の倍率を補正する際に用いる倍率補正データを得るため、ポリゴンミラー１２０を中心とする露光ユニットＡを測定治具に装着した状態を示している。
【０１０２】
なお、測定治具としては、画像形成装置１００の主走査位置の延長線上の主走査始端側の光検出部２４０Ｓ１と主走査終端側に配置された光検出部２４０Ｓ２との間に、画像形成装置１００の感光体１４０の主走査範囲と同じ位置に複数配置された光検出部２４１Ｓ１〜２４１Ｓ５を有することを特徴としている。
【０１０３】
また、計測部２５０は、光検出部２４０Ｓ１による一端走査時間、光検出部２４０Ｓ１と２４０Ｓ２とによる主走査方向走査時間に加え、光検出部２４１Ｓ１〜２４１Ｓ５の検出結果により、区間毎の主走査方向走査時間を計測する。
【０１０４】
また、倍率補正データ生成部２６０は、第一実施形態で説明した主走査方向の倍率補正データに加え、光検出部２４１Ｓ１〜２４１Ｓ５の検出結果に応じた区間毎の倍率補正データを生成する。
【０１０５】
ここでは、光検出部２４１Ｓ１〜２４１Ｓ５の５個のセンサにより４区間の区間毎倍率補正データが求められる場合を具体例にしている。そして、生成された区間毎倍率補正データは、倍率補正データと共に記憶部１６０に記憶され、画像形成時に使用される。
【０１０６】
〔第二実施形態の事前動作〕
この事前動作は、ポリゴンミラー１２０を中心とする露光ユニットＡを測定治具に装着した状態（図９参照）の動作であり、基本的には第一実施形態と同じである。以下、倍率補正データの取得動作（事前動作）について、第一実施形態の動作との違いを説明する。
【０１０７】
まず、画像形成装置１００の感光体１４０の主走査範囲と同じ位置に光検出部２４１Ｓ１〜２４１Ｓ５が配置されるように、露光ユニットＡを測定治具に装着する（図１０中のステップＳ３０１）。
【０１０８】
ここで、計測部２５０は、光検出部２４０Ｓ１による一端走査時間の計測と、光検出部２４０Ｓ１と２４０Ｓ２とによる主走査方向走査時間の計測に加え、光検出部２４１Ｓ１〜２４１Ｓ５の検出結果により、主走査方向走査時間を区間毎に分けた区間走査時間を計測する（図１０中のステップＳ３０２）。
【０１０９】
そして、倍率補正データ生成部２６０は、第一実施形態で説明した主走査方向の倍率補正データの生成に加え、光検出部２４１Ｓ１〜２４１Ｓ５の検出結果である区間走査時間に応じた区間毎倍率補正データを生成する（図１０中のステップＳ３０３）。すなわち、第二本実施形態では、始端〜終端の倍率補正データだけでなく、以上の区間走査時間から求めた区間毎倍率補正データにより構成された倍率補正データを生成している。
【０１１０】
そして、倍率補正データ生成部２６０は、以上の区間毎倍率補正データを含む倍率補正データを、ポリゴンミラー１２０各反射面の一端走査時間または一端走査時間変動と関連付け、記憶部１６０に記憶させる（図１０中のステップＳ３０４）。
【０１１１】
記憶部１６０に区間毎倍率補正データを含む倍率補正データと一端走査時間とが記憶された時点で、制御部１０１はポリゴンミラー１２０の回転を停止させ、倍率補正データ取得動作を完了する。この後、露光ユニットＡを測定治具から取り外し、画像形成装置１００の所定位置に設置する（図１０中のステップＳ３０５）。
【０１１２】
〔第二実施形態の通常動作〕
この通常動作は、基本的には第一実施形態と同じである。以下、第二実施形態の通常動作について、第一実施形態の動作との違いを説明する。
【０１１３】
画像形成装置１００が動作状態になると、制御部１０１は画像形成装置１００の各部を初期化すると共に、ポリゴンモータ駆動回路１２０Ｄを介してポリゴンモータ１２０Ｍを所定回転数で回転させるように起動する（図１０中のステップＳ４０１）。
【０１１４】
ポリゴンミラー１２０が所定回転数に達した時点、計測部１５０は、主走査範囲近傍の１点として始端側の光検出部１４０Ｓ１で、ポリゴンミラー１２０の回転により走査される光ビームの検出間隔（一端走査時間）を計測し、この計測結果を反射面特定部に通知する（図１０中のステップＳ４０２）。
【０１１５】
そして、反射面特定部１７０は、予め工場出荷時に計測された一端走査時間変動の反射面毎の違いを記憶部１６０から読み出し、計測部１５０で計測して得た一端走査時間変動の反射面毎の違いと比較して反射面の対応を特定する（図１０中のステップＳ４０３）。
【０１１６】
制御部１０１は、このようにして特定された反射面に応じて、予め計測された各反射面の倍率補正データを記憶部の所定アドレスから読み出し（図６（ｃ）参照）、画像形成時に使用中のポリゴンミラー１２０の各反射面に適用し、補正部により画像データの露光ドット位置間隔をポリゴンミラー１２０の各反射面毎に調整して主走査方向の倍率を補正するよう制御する（図１０中のステップＳ４０４）。
【０１１７】
制御部１０１は、このようにして特定された反射面に応じて、予め計測された各反射面の倍率補正データ・区間毎倍率補正データを記憶部の所定アドレスから読み出しし、画像形成時に使用中のポリゴンミラー１２０の各反射面に適用し、補正部により画像データの露光ドット位置間隔をポリゴンミラー１２０の各反射面毎に調整して主走査方向の倍率を補正するよう制御する（図１０中のステップＳ４０４）。
【０１１８】
そして、制御部１０１は、予め計測された各反射面の倍率補正データ・区間毎倍率補正データを記憶部１６０から読み出して、その倍率補正データ・区間毎倍率補正データを適用してクロック周波数を調整した状態の書き込みクロックを書き込みクロック生成部１８０で生成し、その書き込みクロックをＬＤ駆動回路１１０Ｄと画像処理部１９０とに適用することで、主走査方向ズレを始端〜終端の一致だけでなく主走査範囲の中間部分でも解消するように画像データの露光ドット位置間隔が調整された状態の画像形成を実行する（図１０中のステップＳ４０５）。
【０１１９】
以上のように、この実施形態では、主走査方向の倍率を補正する際の倍率補正データを一端走査時間に関連付けて予め生成して記憶部１６０に記憶しておき、画像形成時に計測部で計測される一端走査時間と記憶部に記憶された一端走査時間との相関に応じて、予め記憶されている主走査方向走査時間について回転多面鏡各反射面の対応を反射面特定部により特定し、特定された各反射面の主走査方向走査時間を用いて主走査方向の倍率を補正することにより、ポリゴンミラー１２０の面検知センサと主走査方向の２つの光検出部とを用いずに、ポリゴンミラー１２０の各反射面と補正情報（各反射面での主走査方向走査時間変動に基づく倍率補正データ）との対応をとりつつ、主走査方向倍率補正を行うことが可能になる。
【０１２０】
また、以上の実施形態では、主走査範囲内を複数区間に分けて予め計測された区間走査時間から求められた区間毎倍率補正データにより構成された倍率補正データを記憶しておき、ポリゴンミラー１２０の各反射面毎に主走査方向の複数区間に分けて調整して主走査方向の倍率を補正することにより、主走査方向倍率補正を行う際に、始端と終端との一致だけでなく、主走査方向の各位置において画素位置を適切に保つことが可能になる。この結果、図８に示した主走査方向中間部分での画素位置ズレが解消されることになる。
【０１２１】
なお、以上の第二実施形態の説明では、光検出部２４１Ｓ１〜２４１Ｓ５の５個のセンサにより、主走査範囲を４つの区間に分けていたが、この数値に限定されるものではなく、複数の区間として各種の変形が可能である。
【０１２２】
また、この第二実施形態では、測定治具の光検出部２４０Ｓ１と２４０Ｓ２を省略し、光検出部２４１Ｓ１〜２４１Ｓ５を用いて、一端走査時間や主走査方向走査時間を求めることも可能である。
【０１２３】
また、以上の第二実施形態の説明では、光検出部２４１Ｓ１〜２４１Ｓ５を均等に配置して区間走査時間を計測していたが、これに限定されるものではない。たとえば、中心付近などの特定の領域を細かく、他の領域は粗くなるように光検出部を配置することも可能である。これにより、特定の領域について精度の良い主走査方向倍率補正が可能になる。
【０１２４】
〈その他の実施形態（１）〉
以上の実施形態では、レーザビームを用いた電子写真方式の画像形成装置について説明してきたが、これに限定されるものではない。たとえば、レーザビームを用いて印画紙に露光を行うレーザイメージャなど、各種の画像形成装置に本発明の各実施形態を適用することが可能であり、良好な結果を得ることが可能である。
【０１２５】
〈その他の実施形態（２）〉
以上の実施形態では、感光体１４０として感光体ドラムを具体例に用いたが、感光体１４０はドラム形式に限定されるものではなく、ベルトであってもよい。また、レーザビームと感光体１４０とは、感光体１４０の副走査方向への回転だけでなく、副走査方向に感光体１４０とレーザビームとを相対的に移動させる各種の副走査の手法を適用することができる。また、カラー画像形成装置の場合には、露光ユニットＡについて、それぞれで本実施形態を適用すればよい。
【符号の説明】
【０１２６】
１００  画像形成装置
１０５  操作部
１０１  制御部
１１０  レーザダイオード
１１０Ｄ  ＬＤ駆動回路
１２０  ポリゴンミラー
１２０Ｍ  ポリゴンモータ
１２０Ｄ  ポリゴンモータ駆動部
１３０  光学系
１４０  感光体
１４０Ｓ１  光検出部
１５０  計測部
１６０  記憶部
１８０  書き込みクロック生成部
１９０  画像処理部
２４０Ｓ１，２４０Ｓ２  光検出部
２４１Ｓ１〜２４１Ｓ５  光検出部
２５０  計測部
２６０  倍率補正データ生成部
【図１】
0005429135.tif 000002
【図２】
0005429135.tif 000003
【図３】
0005429135.tif 000004
【図４】
0005429135.tif 000005
【図５】
0005429135.tif 000006
【図６】
0005429135.tif 000007
【図７】
0005429135.tif 000008
【図８】
0005429135.tif 000009
【図９】
0005429135.tif 000010
【図１０】
0005429135.tif 000011
【図１１】
0005429135.tif 000012